(57)【要約】【課題】画像比較ツールを備えた画像表示装置において、参照画像や評価画像を拡大した際に、どの部分を拡大した画像なのかを判り易く表示することが可能な画像表示装置を提供することを目的とする。【解決手段】画像表示装置が、第１画像と第２画像との差異点を検出する差異点検出部１２と、差異点を示す画像を第１画像に重畳して比較画像を生成する比較画像生成部１４と、第１画像と第２画像の表示範囲を指定する範囲指定部１３と、比較画像に指定された範囲を示す画像を重畳する画像重畳部１５と、第１画像と第２画像の範囲をそれぞれ拡大する画像拡大部１６と、重畳された比較画像及び拡大された画像を表示する表示部１７と、を備える。【選択図】図１
2011013334.tif 000002
【特許請求の範囲】
【請求項１】
第１画像と第２画像との差異点を検出する差異点検出部と、
前記差異点を示す画像を前記第１画像に重畳して比較画像を生成する比較画像生成部と、
前記第１画像と前記第２画像の表示範囲を指定する範囲指定部と、
前記比較画像に前記指定された範囲を示す画像を重畳する画像重畳部と、
前記第１画像と前記第２画像の前記範囲をそれぞれ拡大する画像拡大部と、
前記重畳された比較画像及び前記拡大された画像を表示する表示部と、
を備えることを特徴とする画像表示装置。
【請求項２】
前記範囲指定部は、前記差異点の一部を含む第１範囲を指定し、次に、前記差異点の前記第１範囲外の一部を含む第２範囲を指定することを特徴とする請求項１に記載の画像表示装置。
【請求項３】
前記比較画像生成部は、前記差異点が含まれる範囲を示す画像を前記比較画像に重畳することを特徴とする請求項１または請求項２に記載の画像表示装置。
【請求項４】
前記比較画像生成部は、前記差異点を示す画像を当該差異点の周辺と異なる色の画像とすることを特徴とする請求項１から請求項３のいずれか１の項に記載の画像表示装置。
【発明の詳細な説明】
【技術分野】
【０００１】
本発明は、参照画像と評価画像との比較画像を表示する画像表示装置に関する。
【背景技術】
【０００２】
画像比較ツールを備えた従来の画像表示装置として、ぼやけ、ブロック歪、ノイズ、フリッカ等の評価尺度やＰＳＮＲ（Ｐｅａｋ Ｓｉｇｎａｌ−ｔｏ−Ｎｏｉｓｅ Ｒａｔｉｏ）によって、原画像である参照画像と評価対象である評価画像の画質を比較評価し、比較結果である比較画像を参照画像や評価画像と併せて表示する画像表示装置が知られている（非特許文献１参照）。
【先行技術文献】
【非特許文献】
【０００３】
【非特許文献１】“分析的画質評価ツール  ＶＱ−１０００”、［online］、株式会社ニコンシステム、［平成２１年５月１日検索］、インターネット＜URL：http://www.nikon-sys.co.jp/products/pdf/VQ-1000.pdf＞
【発明の概要】
【発明が解決しようとする課題】
【０００４】
しかしながら、上記従来の画像表示装置は、参照画像、評価画像、及び比較画像の同じ範囲をそれぞれ独立した表示ウィンドウに表示していた。このため、ユーザが各画像の表示拡大率を変更した場合に、それらの拡大画像が参照画像や評価画像のどの部分を拡大した画像なのかが判りにくいという問題があった。
【０００５】
本発明は、前記の諸点に鑑みてなされたものであり、画像比較ツールを備えた画像表示装置において、参照画像や評価画像を拡大した際に、どの部分を拡大した画像なのかを判り易く表示することが可能な画像表示装置を提供することを目的とする。
【課題を解決するための手段】
【０００６】
本発明は、上記の課題を解決するためになされたものであり、第１画像と第２画像との差異点を検出する差異点検出部と、前記差異点を示す画像を前記第１画像に重畳して比較画像を生成する比較画像生成部と、前記第１画像と前記第２画像の表示範囲を指定する範囲指定部と、前記比較画像に前記指定された範囲を示す画像を重畳する画像重畳部と、前記第１画像と前記第２画像の前記範囲をそれぞれ拡大する画像拡大部と、前記重畳された比較画像及び前記拡大された画像を表示する表示部と、を備えることを特徴とする画像表示装置である。
【０００７】
また本発明は、前記範囲指定部は、前記差異点の一部を含む第１範囲を指定し、次に、前記差異点の前記第１範囲外の一部を含む第２範囲を指定することを特徴とする画像表示装置である。
【０００８】
また本発明は、前記比較画像生成部は、前記差異点が含まれる範囲を示す画像を前記比較画像に重畳することを特徴とする画像表示装置である。
【０００９】
また本発明は、前記比較画像生成部は、前記差異点を示す画像を当該差異点の周辺と異なる色の画像とすることを特徴とする画像表示装置である。
【発明の効果】
【００１０】
本発明によれば、画像表示装置が、表示範囲を示す画像を重畳した比較画像と、参照画像及び評価画像を表示する。これにより、参照画像や評価画像のどの部分の拡大画像なのかを画像表示装置がユーザに判り易く表示する。
【図面の簡単な説明】
【００１１】
【図１】本発明の一実施形態における画像表示装置の構成を示すブロック図である。
【図２】本発明の一実施形態における参照画像と評価画像と差分画像と比較画像を説明する図である。
【図３】本発明の一実施形態におけるナビゲータ画面の例を示す図である。
【図４】本発明の一実施形態における参照・評価画面の表示例を示す図である。
【図５】本発明の一実施形態における画像表示装置の動作を示すフローチャートである。
【発明を実施するための形態】
【００１２】
本発明の一実施形態について図面を参照して詳細に説明する。図１は、本発明の一実施形態における画像表示装置の構成を示すブロック図である。画像表示装置１０は、入力部１１と、差異点検出部１２と、範囲指定部１３と、比較画像生成部１４と、画像重畳部１５と、画像拡大部１６と、表示部１７を備える。なお、差異点検出部１２と、範囲指定部１３と、比較画像生成部１４と、画像重畳部１５と、画像拡大部１６は、ＣＰＵ、ＲＯＭ、ＲＡＭ等によって構成されるものであり、ＣＰＵがＲＯＭに記憶されている所定のプログラムを読み出して実行することによって、上記各部の機能が実現される。
【００１３】
入力部１１には、参照画像の画像データと、評価画像の画像データが入力される。参照画像は、比較の基準となる画像であり、その例を図２（Ａ）に示す。評価画像は、参照画像との比較の対象となる画像であり、その例を図２（Ｂ）に示す。入力部１１は、入力された参照画像の画像データを差異点検出部と比較画像生成部と画像拡大部へ出力し、評価画像の画像データを差異点検出部と画像拡大部へ出力する。
【００１４】
また、入力部には、ユーザの操作により、拡大範囲指定位置、拡大範囲指定サイズ、拡大率、差異点検索指示、等の各種操作指示データが入力される。ここで、拡大範囲指定位置データは、参照画像や評価画像中の拡大表示する範囲の位置（例えば当該範囲の左上隅の頂点座標）を指定する値であり、拡大範囲指定サイズデータは、当該範囲のサイズ（縦横の画素数）を指定する値であり、拡大率データは、当該範囲を拡大する割合（例えば拡大率が２００％の場合は当該範囲を２倍に拡大することを示す）を指定する値である。
【００１５】
差異点検索指示は、参照画像と評価画像の差分が存在する箇所（差異点）を検索して表示させるための指示である。入力部１１は、これらの操作指示のうち、拡大範囲指定位置と拡大範囲指定サイズと差異点検索指示の各操作指示データを範囲指定部へ出力し、拡大率の操作指示データを画像拡大部１６へ出力する。
【００１６】
差異点検出部１２は、入力部１１から参照画像の画像データと、評価画像の画像データを取得し、これら参照画像と評価画像の各画素値を比較することによって両者の差異点を検出して、検出された差異点により表される差分画像を生成する。そして、差異点検出部１２は、生成した差分画像を比較画像生成部１４へ出力し、また、差分画像内の差異点の位置を示す位置データ（座標の値）を範囲指定部１３へ出力する。
【００１７】
図２を用いて具体的に説明する。図２は、本発明の一実施形態における参照画像と評価画像と差分画像と比較画像を説明する図である。図２（Ｂ）に示す評価画像３０の左上部分と中央下部分には、図２（Ａ）に示す参照画像２０には存在しないエラー箇所３１及び３２が含まれている。この場合、参照画像２０と評価画像３０の各画素値の比較によって、これら２つのエラー箇所が差異点として検出され、図２（Ｃ）に示すような２箇所の差異点４１及び４２を含んだ差分画像が生成されることとなる。
【００１８】
なお、参照画像と評価画像の差異点を検出する方法としては、例えば、ＰＳＮＲによって画像のＲＧＢ成分又はＹＵＶ成分等を比較する方法や、両画像の各画素値の差が所定の閾値以上であるか否かを判定する方法などを適用することができる。また、検出の際、画素単位ではなく、例えば８画素×８画素のブロック単位で差異点の有無を判定し、ブロック内に１画素でも差異点が含まれる場合はそのブロック全体を差異点と判定するようにしてもよい。
【００１９】
比較画像生成部１２は、入力部１１と差異点検出部１２からそれぞれ参照画像の画像データと差分画像を取得し、取得した参照画像に差分画像の色や輝度を変換した画像を重畳することによって比較画像を生成して、得られた比較画像を画像重畳部１５へ出力する。差分画像の変換方法として、生成された比較画像の中で差異点の存在箇所が目立つように、例えば、差分画像の色を、参照画像内において当該差異点と対応する箇所の周辺部と異なる色に変換したり、差分画像の輝度を明るい輝度に変換したり、あるいは、参照画像の輝度を暗い輝度に変換する方法を用いる。このようにして、参照画像と評価画像の差分（差異点を示す画像１０１及び１０２）が表現された、図２（Ｄ）に示すような比較画像が得られる。
【００２０】
なお、差分画像に含まれる１つ１つの差異点のサイズが小さい（例えば、１つの差異点が１画素で構成されている）場合、上記のように生成した比較画像をユーザが見た時に、サイズが小さすぎてユーザが差異点を見つけにくいことがあると考えられる。そこで、比較画像生成部１４は、差分画像に含まれる各差異点の位置を示す画像（例えば、図２（Ｅ）に示す、差異点が含まれる範囲を示す画像１０６及び１０７）を更に参照画像に重畳して、これにより得られた画像を比較画像とするようにしてもよい。
【００２１】
範囲指定部１３は、差異点検出部１２から得られる差異点の位置を示す位置データと、入力部１１から得られるユーザによる操作指示データとに従って、表示部１７に表示すべき参照画像と評価画像の表示範囲を指定し、その表示範囲を画像重畳部１５と画像拡大部１７に指示する。表示範囲の指定方法には、入力部１１から拡大範囲指定位置の操作指示データを取得したか、差異点検索指示データを取得したかに応じて、次に示すように２つのモードがある。
【００２２】
まず、拡大範囲指定位置の操作指示データを取得した場合、範囲指定部１３は、入力部１１から取得した拡大範囲指定位置と拡大範囲指定サイズの２つの操作指示データによって定まる範囲を表示範囲とする。例えば、ユーザが拡大範囲指定位置として表示範囲の左上隅の頂点座標（１００，２００）を指定し、拡大範囲指定サイズとして縦の画素数を６０，横の画素数を８０と指定したとすると、表示範囲は、次の４点（１００，２００），（１８０，２００），（１００，２６０），（１８０，２６０）で囲まれた矩形の範囲となる。このモードでは、ユーザが任意に表示範囲を決めることができる。
【００２３】
一方、差異点検索指示データを取得した場合、範囲指定部１３は、差異点検出部１２から取得した差異点の位置データと、入力部１１から取得した拡大範囲指定サイズデータとによって定まる範囲を表示範囲とする。例えば、差異点の位置データとして差異点の中心座標（１００，２００）を得、また、ユーザが拡大範囲指定サイズとして縦の画素数を６０，横の画素数を８０と指定したとすると、表示範囲は、次の４点（６０，１７０），（６０，２３０），（１４０，１７０），（１４０，２３０）で囲まれた矩形の範囲となる。このモードでは、差異点の存在する箇所を含む範囲が、自動的に表示範囲に選ばれることになる。
【００２４】
また、この後者のモードにおいて、差異点検出部１２から複数の差異点の位置データを取得した場合には、ユーザにより差異点検索指示データが入力されるたびに、順次、範囲指定部１３は次の差異点の位置データを用いて表示範囲を決定していく。図２（Ｃ）に示した差分画像を例にとって具体的に説明する。
【００２５】
図３は、本発明の一実施形態におけるナビゲータ画面の例を示す図である。まず、ユーザが図３のＮｅｘｔボタン１０４を操作することにより差異点検索指示データを入力したとする。これを受けて、範囲指定部１３は、例えば差異点４１を含むように表示範囲を決定する。次にユーザがもう一度Ｎｅｘｔボタン１０４を操作すると、範囲指定部１３は、次の差異点４２を含むように表示範囲を決定する。更に、ユーザが図３のＰｒｅｖｉｏｕｓボタン１０５を操作することにより差異点検索指示データを入力すると、範囲指定部１３は、一つ前の差異点４１を含むように表示範囲を決定する。このように、ユーザが差異点検索指示データを入力する毎に、次々と別の差異点が表示されるよう、表示範囲が切り替わっていく。
【００２６】
画像拡大部１６は、入力部１１から参照画像の画像データと、評価画像の画像データと、拡大率の操作指示データを取得し、また、範囲指定部１３から表示範囲の指示データを受け取る。そして、画像拡大部１６は、参照画像と評価画像のそれぞれから範囲指定部１３に指示された表示範囲の部分を切り出して、それら切り出した画像を上記取得した拡大率で拡大し、拡大された参照画像の画像データと、評価画像の画像データを参照・評価画面として表示部１７へ出力する。図４は、本発明の一実施形態における参照・評価画面の表示例を示す図である。
【００２７】
画像重畳部１５は、比較画像生成部１４から取得した比較画像に、範囲指定部１３により指示された表示範囲を示す画像を重畳し、得られた重畳画像をナビゲータ画面として表示部へ出力する。図３の矩形画像１０３が、範囲指定部により指示された表示範囲を示す画像である。
【００２８】
図３から分かるように、参照・評価画面に表示されている参照画像と評価画像の表示範囲は、ナビゲータ画面に表示されている比較画像に重畳された矩形画像１０３の範囲と一致している。したがって、ユーザは、ナビゲータ画面を見ることによって、参照・評価画面に拡大表示されている参照画像と評価画像は、画像全体（ナビゲータ画面の比較画像）のうちのどの部分であるかを容易に把握することが可能である。
【００２９】
なお、このナビゲータ画面には、拡大範囲指定位置、拡大範囲指定サイズ、拡大率、Ｎｅｘｔボタン１０４、Ｐｒｅｖｉｏｕｓボタン１０５等も表示されている。
【００３０】
次に、画像表示装置の動作を説明する。図５は、本発明の一実施形態における画像表示装置１０の動作を示すフローチャートである。
【００３１】
入力部１１は、参照画像の画像データ、及び評価画像の画像データを取得し、これらを出力する（ステップＳ１）。差異点検出部１２は、参照画像と評価画像の差異点を検出し、差分画像を生成する（ステップＳ２）。比較画像生成部１４は、差異点を示す画像（差異点が含まれる範囲を示す画像）を参照画像に重畳することで、比較画像を生成する（ステップＳ３）。
【００３２】
範囲指定部１３は、ユーザからの差異点検索指示データが入力されているか否かを判定する（ステップＳ４）。差異点検索指示データが入力されていない場合（ステップＳ４−ＮＯ）、範囲指定部１３は、ユーザから指定された拡大表示範囲位置と、拡大表示範囲サイズ（拡大表示率）とで定まる範囲を表示範囲として指定する（ステップＳ５）。一方、差異点検索指示データが入力された場合（ステップＳ４−ＹＥＳ）、範囲指定部１３は、差異点を拡大表示範囲位置とし、これと拡大表示範囲サイズ（拡大表示率）とで定まる範囲を表示範囲として指定する（ステップＳ６）。
【００３３】
画像拡大部１６は、表示範囲の参照画像を拡大し、拡大された参照画像を生成する。同様に、画像拡大部１６は評価画像を拡大し、拡大された評価画像を生成する。表示部１７は、拡大された参照画像と評価画像を参照・評価画面として「参照画像と評価画像画面（ウィンドウ）」に表示する（ステップＳ７）。
【００３４】
さらに、画像重畳部１５は、表示範囲を示す画像を比較画像に重畳する。表示部１７は、拡大表示率と、拡大表示範囲位置と、拡大表示範囲サイズと、比較画像と、Ｎｅｘｔボタンと、Ｐｒｅｖｉｏｕｓボタンを「ナビゲータ画面（ウィンドウ）」に表示する（ステップＳ８）。
【００３５】
次に、画像表示装置１０は、終了指示データが入力されたか否かを判定する（ステップＳ９）。終了指示データが入力されていない場合（ステップＳ９−ＮＯ）、画像表示装置１０は、ステップＳ４に戻る。終了指示データが入力された場合（ステップＳ９−ＹＥＳ）、画像表示装置１０は、処理を終了する。
【００３６】
以上、本発明の実施の形態により、画像表示装置１０が、参照画像と評価画像の差異点を示す画像を重畳した比較画像と、その差異点を含んで拡大された参照画像と評価画像を表示する。これにより、参照画像や評価画像のどの部分の拡大画像なのかがユーザに判り易く、また参照画像と評価画像の差異点を探すことも容易となる。
【００３７】
以上、この発明の実施形態について図面を参照して詳述してきたが、具体的な構成はこの実施形態に限られるものではなく、この発明の要旨を逸脱しない範囲の設計等も含まれる。
【００３８】
例えば、拡大表示範囲１０３は、ユーザがマウス操作（ドラッグ、クリック等）、「Ｓｈｉｆｔキー」押下操作、「上下左右矢印キー」押下操作により、位置や範囲を変更することができるとしてもよい。また例えば、ユーザはプルダウンメニューからマウス操作で拡大表示率を選択するとしてもよい。また例えば、評価画像が動画像である場合、差異点は前後の画像フレーム間をまたいで検索されてもよい。また例えば、差異点はそのピクセル数によって表示色が変えられてもよい。
【符号の説明】
【００３９】
１０…画像表示装置  １１…入力部  １２…差異点検出部  １３…範囲指定部  １４…比較画像生成部  １５…画像重畳部  １６…画像拡大部  １７…表示部  ２０…参照画像  ３０…評価画像  ３１…エラー箇所  ３２…エラー箇所  ４０…差分画像  ４１…差異点  ４２…差異点  １００…比較画像  １０１…差異点を示す画像  １０２…差異点を示す画像  １０３…矩形画像  １０４…Ｎｅｘｔボタン  １０５…Ｐｒｅｖｉｏｕｓボタン  １０６…差異点が含まれる範囲を示す画像  １０７…差異点が含まれる範囲を示す画像  ２００…比較画像
【図１】
2011013334.tif 000003
【図２】
2011013334.tif 000004
【図３】
2011013334.tif 000005
【図４】
2011013334.tif 000006
【図５】
2011013334.tif 000007